(57)【要約】【課題】作業性等の向上を図ることが可能なワイヤハーネスを提供する。【解決手段】ワイヤハーネス１５によれば、複数本の導電路２１を含んで構成される。導電路２１に関しては、この一本が複数に分割された分割導電路２３と、隣り合う分割導電路２３同士を繋ぐ導電性の繋ぎ部材２４とを含んで構成される。そして、繋ぎ部材２４は、本体部３１と、この本体部３１の両端に位置する接続端３２とを含んで構成され、また、繋ぎ部材２４は、分割導電路２３よりも剛性が低く縮み可能で所定方向に曲げ可能な部材として形成される。従って、このような繋ぎ部材２４の配置を調整すれば、繋ぎ部材２４を作業性等の向上に寄与する部分として使用することができる。【選択図】図２
2016103310.tif 000002
【特許請求の範囲】
【請求項１】
一又は複数本の導電路を含んで構成され、且つ、自動車に配索されて電気的な接続を行うワイヤハーネスにおいて、
前記導電路一本は、複数に分割された分割導電路と、一又は複数有して隣り合う前記分割導電路同士を繋ぐ導電性の繋ぎ部材とを含んで構成され、
該繋ぎ部材は、本体部と、該本体部の両端に位置する接続端とを含んで構成され、且つ、前記分割導電路よりも剛性が低く縮み可能で所定方向に曲げ可能な部材として形成される
ことを特徴とするワイヤハーネス。
【請求項２】
請求項１に記載のワイヤハーネスにおいて、
前記繋ぎ部材は、前記分割導電路よりも短く形成される
ことを特徴とするワイヤハーネス。
【請求項３】
請求項１又は２に記載のワイヤハーネスにおいて、
前記繋ぎ部材の前記所定方向とは、二方向又は３６０度方向である
ことを特徴とするワイヤハーネス。
【請求項４】
請求項１、２又は３に記載のワイヤハーネスにおいて、
前記繋ぎ部材は、当該ワイヤハーネスが前記自動車の車体に沿う範囲内に少なくとも一箇所配置される
ことを特徴とするワイヤハーネス。
【請求項５】
請求項１、２、３又は４に記載のワイヤハーネスにおいて、
前記繋ぎ部材は、前記自動車への配索前の梱包時におけるコンパクト化のための折り曲げ手段、配索時における寸法誤差を吸収するための寸法誤差吸収手段、及び、配索後における共振を回避するための共振回避手段のうち少なくとも一つとして適用される
ことを特徴とするワイヤハーネス。
【請求項６】
請求項１、２、３、４又は５に記載のワイヤハーネスにおいて、
前記分割導電路は、アルミニウム製又はアルミニウム合金製の棒状導体と、該棒状導体を覆う絶縁体とを含んで構成され、且つ、前記棒状導体の剛性により配索時の形状が保持される
ことを特徴とするワイヤハーネス。
【請求項７】
請求項１、２、３、４、５又は６に記載のワイヤハーネスにおいて、
前記繋ぎ部材における前記本体部は、アルミニウム製又はアルミニウム合金製の柔軟性のある撚り線導体と、該撚り線導体を覆う絶縁性の被覆部とを含んで構成される
ことを特徴とするワイヤハーネス。
【請求項８】
請求項１、２、３、４、５、６又は７に記載のワイヤハーネスにおいて、
前記繋ぎ部材を収容保護する樹脂製の外装部材を更に含んで構成される
ことを特徴とするワイヤハーネス。
【発明の詳細な説明】
【技術分野】
【０００１】
本発明は、自動車に配索されて電気的な接続を行うワイヤハーネスに関し、詳しくは、一又は複数本の導電路と、この導電路の大半又は一部を収容する外装部材とを含んで構成されるワイヤハーネスに関する。
【背景技術】
【０００２】
例えば、高電圧のワイヤハーネスを例に挙げると、下記特許文献１には、ハイブリッド自動車や電気自動車に搭載される高電圧の機器間を電気的に接続するワイヤハーネスが開示される。このワイヤハーネスは、三本の柔軟な高圧電線（導電路）と、三本の高圧電線を一本ずつ収容して保護する三本の外装部材とを備えて構成される。外装部材は、断面円形状の金属パイプであって、このような外装部材に高圧電線を挿通した後、高圧電線の端末にコネクタ等を取り付けてワイヤハーネスの製造が完了する。ワイヤハーネスの製造にあたっては、ワイヤハーネスの配索対象箇所の形状に合わせて外装部材に曲げ加工が施される。
【先行技術文献】
【特許文献】
【０００３】
【特許文献１】特開２００４−２２４１５６号公報
【発明の概要】
【発明が解決しようとする課題】
【０００４】
上記従来技術にあっては、柔軟な高圧電線（導電路）を用いる構成のワイヤハーネスであることから、配索対象箇所の形状（配索経路の形状）に合わせてワイヤハーネスを作業性よく配索するためには、金属パイプにて形状保持をした上で配索する必要があった。すなわち、従来技術にあっては金属パイプが作業性の向上に必要な構成部材であった。
【０００５】
本願発明者は、金属パイプを用いずに配索対象箇所の形状に合わせて形状保持をすることができないかと考えた。その結果、従来技術の高圧電線に替わる新たな導電路を採用し、この新たな導電路に形状保持機能を持たせる考えに至った。具体的には、剛性のある導電路を採用してこのような導電路に形状保持機能を持たせる考えに至った。
【０００６】
しかしながら、上記考えは剛性を有する導電路の採用であることから、次のような幾つかの問題点があることが分かった。すなわち、金属パイプを用いた時と同様に柔軟性が失われ、そのため大きな状態のままで梱包作業をしなければならないという問題点や、梱包状態が大きいことから十分な搬送スペースを確保しなければならないという問題点、さらには、剛性にて配索時における寸法誤差の吸収が困難で作業性等に影響を来してしまうという問題点や、車両振動の周波数範囲にワイヤハーネスの共振周波数が含まれると、その対処が困難になって、結果、上記同様に作業性等に影響を来してしまうという問題点などがあることが分かった。
【０００７】
本発明は、上記した事情に鑑みてなされたもので、作業性等の向上を図ることが可能なワイヤハーネスを提供することを課題とする。
【課題を解決するための手段】
【０００８】
上記課題を解決するためになされた請求項１に記載の本発明は、一又は複数本の導電路を含んで構成され、且つ、自動車に配索されて電気的な接続を行うワイヤハーネスにおいて、前記導電路一本は、複数に分割された分割導電路と、一又は複数有して隣り合う前記分割導電路同士を繋ぐ導電性の繋ぎ部材とを含んで構成され、該繋ぎ部材は、本体部と、該本体部の両端に位置する接続端とを含んで構成され、且つ、前記分割導電路よりも剛性が低く縮み可能で所定方向に曲げ可能な部材として形成されることを特徴とする。
【０００９】
このような特徴を有する本発明によれば、一又は複数本の導電路を含んで構成されるワイヤハーネスであり、導電路は、複数に分割された分割導電路を繋ぎ部材で繋ぐことにより一本のものになる。繋ぎ部材は、分割導電路よりも低剛性であることから、また、縮み可能で所定方向に曲げ可能であることから、繋ぎ部材の配置を調整すれば、この繋ぎ部材が作業性等の向上に寄与する部分になる。つまり、このような導電路を一又は複数本含んでなるワイヤハーネスであれば、作業性等の向上を図ることが可能になる。
【００１０】
請求項２に記載の本発明は、請求項１に記載のワイヤハーネスにおいて、前記繋ぎ部材は、前記分割導電路よりも短く形成されることを特徴とする。
【００１１】
このような特徴を有する本発明によれば、作業性等の向上に寄与する部分として有効な繋ぎ部材は、剛性が低く縮み可能で所定方向に曲げ可能であればよく、そのため複数に分割された分割導電路よりも短い状態で用いたとしても十分に機能する。本発明によれば、一本の導電路に占める繋ぎ部材の割合が小さく、従って、分割導電路の部分で配索経路の形状維持に係る機能を十分に発揮させることが可能である。
【００１２】
請求項３に記載の本発明は、請求項１又は２に記載のワイヤハーネスにおいて、前記繋ぎ部材の前記所定方向とは、二方向又は３６０度方向であることを特徴とする。
【００１３】
このような特徴を有する本発明によれば、導電路は繋ぎ部材の位置で例えば上方向と下方向とに曲げが可能、又は、左方向と右方向とに曲げが可能、さらには、３６０度方向に曲げが可能になる。尚、本発明における二方向の曲げに関しては、上記の他に、例えば表面側で後ろ方向への折り曲げと、裏面側で後ろ方向への折り曲げ、又は、表面側で斜め前方向への曲げと、裏面側で斜め前方向への曲げ等であってもよく、様々な曲げが可能になるものとする（請求項５に係る折り曲げ手段としての適用が有効）。本発明では、少なくとも二方向の曲げができることから、ワイヤハーネスの配索作業が容易になる。
【００１４】
請求項４に記載の本発明は、請求項１、２又は３に記載のワイヤハーネスにおいて、前記繋ぎ部材は、当該ワイヤハーネスが前記自動車の車体に沿う範囲内に少なくとも一箇所配置されることを特徴とする。
【００１５】
このような特徴を有する本発明によれば、例えば車体の床下側を通ってワイヤハーネスの配索がなされる場合、この床下の範囲内で少なくとも一箇所、繋ぎ部材で繋いだ部分が形成される。これにより、ワイヤハーネスの配索が長尺になるような場合であっても、以下の請求項５の発明に挙げる各種手段としての適用箇所になり、結果、より良い効果を得ることが可能になる。
【００１６】
請求項５に記載の本発明は、請求項１、２、３又は４に記載のワイヤハーネスにおいて、前記繋ぎ部材は、前記自動車への配索前の梱包時におけるコンパクト化のための折り曲げ手段、配索時における寸法誤差を吸収するための寸法誤差吸収手段、及び、配索後における共振を回避するための共振回避手段のうち少なくとも一つとして適用されることを特徴とする。
【００１７】
このような特徴を有する本発明によれば、繋ぎ部材が折り曲げ手段として適用されることで、導電路は繋ぎ部材の位置で折り曲げができるようになり、結果、自動車への配索前の梱包状態及び輸送状態としてワイヤハーネスをコンパクトにすることが可能なる。また、繋ぎ部材が寸法誤差吸収手段として適用され、縮ませたり曲げたりすることで、配索時における寸法誤差を吸収することが可能になる。また、繋ぎ部材が共振回避手段として適用され、車両振動の周波数範囲からワイヤハーネスの共振周波数を外すことで、共振による不具合等を回避することが可能になる。尚、上記手段の他に、曲げ手段や振動吸収手段として適用することも当然に可能になる。
【００１８】
請求項６に記載の本発明は、請求項１、２、３、４又は５に記載のワイヤハーネスにおいて、前記分割導電路は、アルミニウム製又はアルミニウム合金製の棒状の導体と、該棒状の導体を覆う絶縁体とを含んで構成され、且つ、前記棒状の導体の剛性により配索時の形状が保持されることを特徴とする。
【００１９】
このような特徴を有する本発明によれば、アルミニウム製又はアルミニウム合金製の棒状導体と、この棒状導体を覆う絶縁体とを含んで分割導電路が構成される。ワイヤハーネスは、分割導電路における棒状導体の剛性により配索時の形状が保持される。ワイヤハーネスは、分割導電路の導体がアルミニウム又はアルミニウム合金からなることから、軽量化を図ることも可能になる。
【００２０】
請求項７に記載の本発明は、請求項１、２、３、４、５又は６に記載のワイヤハーネスにおいて、前記繋ぎ部材における前記本体部は、アルミニウム製又はアルミニウム合金製の柔軟性のある撚り線導体と、該撚り線導体を覆う絶縁性の被覆部とを含んで構成されることを特徴とする。
【００２１】
このような特徴を有する本発明によれば、アルミニウム製又はアルミニウム合金製の柔軟性のある撚り線導体と、この撚り線導体を覆う絶縁性の被覆部とを含んで繋ぎ部材が構成される。このような構成の繋ぎ部材により、ワイヤハーネスには柔軟性を有する部分が存在するようになり、結果、作業性等の向上を図ることが可能になる。ワイヤハーネスは、繋ぎ部材の導体がアルミニウム又はアルミニウム合金からなることから、軽量化を図ることも可能になる。
【００２２】
請求項８に記載の本発明は、請求項１、２、３、４、５、６又は７に記載のワイヤハーネスにおいて、前記繋ぎ部材を収容保護する樹脂製の外装部材を更に含んで構成されることを特徴とする。
【００２３】
このような特徴を有する本発明によれば、繋ぎ部材は樹脂製の外装部材により収容保護される。これにより、接続端の保護や止水、又は、繋ぎ部材の経路規制が可能になる。樹脂製の外装部材としては、例えばコルゲートチューブやプロテクタ等が好適である。
【発明の効果】
【００２４】
請求項１に記載された本発明によれば、一又は複数本の導電路を含んでワイヤハーネスが構成される。導電路一本は、複数に分割された分割導電路と、一又は複数有して隣り合う分割導電路同士を繋ぐ導電性の繋ぎ部材とを含んで構成される。繋ぎ部材は、本体部と、この本体部の両端に位置する接続端とを含んで構成される。そして、繋ぎ部材は、分割導電路よりも剛性が低く縮み可能で所定方向に曲げ可能な部材として形成される。従って、繋ぎ部材の配置を調整すれば、この繋ぎ部材を作業性等の向上に寄与する部分として使用することができる。つまり、このような導電路を一又は複数本含んでなるワイヤハーネスであれば、作業性等の向上を図ることができるという効果を奏する。
【００２５】
請求項２に記載された本発明によれば、繋ぎ部材が分割導電路よりも短く形成されることから、一本の導電路に占める繋ぎ部材の割合が小さく、結果、配索経路の形状維持に係る機能を損なうことはない。従って、より良いワイヤハーネスを提供することができるという効果を奏する。
【００２６】
請求項３に記載された本発明によれば、繋ぎ部材が二方向又は３６０度方向に曲げ可能な部材として形成されることから、このような曲げによって作業性等の向上を図ることができるという効果を奏する。
【００２７】
請求項４に記載された本発明によれば、ワイヤハーネスが自動車の車体に沿う範囲内において、繋ぎ部材が少なくとも一箇所配置されることから、配索が長尺になるような範囲であっても、以下の請求項５の発明に挙げる各種手段としての適用箇所にすることができる。従って、より良いワイヤハーネスを提供することができるという効果を奏する。
【００２８】
請求項５に記載された本発明によれば、繋ぎ部材が折り曲げ手段、寸法誤差吸収手段、及び共振回避手段のうち少なくとも一つとして適用されることから、ワイヤハーネスの梱包時及び輸送時のコンパクト化を図ることや、配索時における寸法誤差の吸収を容易にすること、さらには、配索後の共振による不具合等の回避をすることなどができるという効果を奏する。
【００２９】
請求項６に記載された本発明によれば、アルミニウム製又はアルミニウム合金製の棒状導体と、この棒状導体を覆う絶縁体とを含んで分割導電路が構成されることから、分割導電路における棒状導体の剛性によって配索時の形状を保持することができるという効果を奏する。
【００３０】
請求項７に記載された本発明によれば、アルミニウム製又はアルミニウム合金製の柔軟性のある撚り線導体と、この撚り線導体を覆う絶縁性の被覆部とを含んで繋ぎ部材が構成されることから、繋ぎ部材における撚り線導体の柔軟性によって配索時及びその前後の作業性等の向上を図ることができるという効果を奏する。
【００３１】
請求項８に記載された本発明によれば、例えばコルゲートチューブやプロテクタ等の樹脂製の外装部材により導電路を収容保護することができる。従って、樹脂製の外装部材を採用することで、より良いワイヤハーネスを提供することができるという効果を奏する。
【図面の簡単な説明】
【００３２】
【図１】本発明のワイヤハーネスを示す図であり、（ａ）は高電圧のワイヤハーネスの配索状態を示す模式図、（ｂ）は（ａ）とは別の低電圧のワイヤハーネスの配索状態を示す模式図である。
【図２】図１のワイヤハーネスの導電路を示す図であり、（ａ）は導電路の構成を示す模式図、（ｂ）はＡ−Ａ線断面図、（ｃ）はＢ−Ｂ線断面図である。
【図３】図２の導電路接続部の一例を示す図であり、（ａ）は図２と同じジョイントタイプを示す分解斜視図、（ｂ）は他の例となる接合タイプを示す斜視図である。
【図４】導電路を配索経路に合わせた形状にした時の状態を示す模式図である。
【図５】繋ぎ部材の適用例を示す図であり、（ａ）は寸法誤差吸収手段として適用した時の状態を示す模式図、（ｂ）は共振回避手段として適用した時の状態を示す模式図である。
【図６】繋ぎ部材の適用例を示す図であり、折り曲げ手段として適用した時の状態を示す模式図である。
【図７】繋ぎ部材の他の適用例を示す模式図である。
【図８】他の例となる導電路の構成を示す模式図である。
【図９】梱包状態及び輸送状態の例を示す模式図である。
【図１０】配索状態の例を示す模式図である。
【発明を実施するための形態】
【００３３】
ワイヤハーネスは、一又は複数本の導電路を含んで構成される。導電路一本は、複数に分割された分割導電路と、一又は複数有して隣り合う分割導電路同士を繋ぐ導電性の繋ぎ部材とを含んで構成される。繋ぎ部材は、本体部と、この本体部の両端に位置する接続端とを含んで構成される。そして、繋ぎ部材は、分割導電路よりも剛性が低く縮み可能で所定方向に曲げ可能な部材として形成される。従って、繋ぎ部材の配置を調整すれば、この繋ぎ部材が作業性等の向上に寄与する部分として使用することができる。
【実施例】
【００３４】
以下、図面を参照しながら実施例を説明する。図１は本発明のワイヤハーネスを示す図である。また、図２は図１のワイヤハーネスの導電路を示す図、図３は図２の導電路接続部の一例を示す図、図４は導電路を配索経路に合わせた形状にした時の状態を示す図、図５は繋ぎ部材の適用例を示す図、図６及び図７は繋ぎ部材の適用例を示す図、図８は他の例となる導電路の構成を示す図、図９は梱包状態及び輸送状態の例を示す図、図１０は配索状態の例を示す図である。
【００３５】
本実施例においては、ハイブリッド自動車（電気自動車やエンジンで走行する一般的な自動車等であってもよいものとする）に配索されるワイヤハーネスに対し本発明を採用する。
【００３６】
図１（ａ）において、引用符号１はハイブリッド自動車を示す。ハイブリッド自動車１は、エンジン２及びモータユニット３の二つの動力をミックスして駆動する車両であって、モータユニット３にはインバータユニット４を介してバッテリー５（電池パック）からの電力が供給される。エンジン２、モータユニット３、及びインバータユニット４は、本実施例において前輪等がある位置のエンジンルーム６に搭載される。また、バッテリー５は、後輪等がある自動車後部７に搭載される（エンジンルーム６の後方に存在する自動車室内に搭載してもよいものとする）。
【００３７】
モータユニット３とインバータユニット４は、高圧の（高電圧用の）ワイヤハーネス８により接続される。また、バッテリー５とインバータユニット４も高圧のワイヤハーネス９により接続される。ワイヤハーネス９は、この中間部１０が車両における（車体における）車両床下１１に配索される。また、中間部１０は、車両床下１１に沿って略平行に配索される。車両床下１１は、公知のボディ（車体）であるとともに所謂パネル部材であって、所定位置には貫通孔が形成される。この貫通孔には、ワイヤハーネス９が水密に挿通される。
【００３８】
ワイヤハーネス９とバッテリー５は、このバッテリー５に設けられるジャンクションブロック１２を介して接続される。ジャンクションブロック１２には、ワイヤハーネス９の後端側のハーネス端末１３に配設されたシールドコネクタ１４等の外部接続手段が電気的に接続される。また、ワイヤハーネス９とインバータユニット４は、前端側のハーネス端末１３に配設されたシールドコネクタ１４等の外部接続手段を介して電気的に接続される。
【００３９】
モータユニット３は、モータ及びジェネレータを含んで構成される。また、インバータユニット４は、インバータ及びコンバータを構成に含んで構成される。モータユニット３は、シールドケースを含むモータアッセンブリとして形成される。また、インバータユニット４もシールドケースを含むインバータアッセンブリとして形成される。バッテリー５は、Ｎｉ−ＭＨ系やＬｉ−ｉｏｎ系のものであって、モジュール化することによりなる。尚、例えばキャパシタのような蓄電装置を使用することも可能である。バッテリー５は、ハイブリッド自動車１や電気自動車に使用可能であれば特に限定されないのは勿論である。
【００４０】
図１（ｂ）において、引用符号１５はワイヤハーネスを示す。ワイヤハーネス１５は、低圧の（低電圧用の）ものであって、ハイブリッド自動車１における自動車後部７の低圧バッテリー１６と、自動車前部１７に搭載される補器１８（機器）とを電気的に接続するために備えられる。ワイヤハーネス１５は、図１（ａ）のワイヤハーネス９と同様に、車両床下１１を通って配索される（一例であり、車室側を通って配索されてもよいものとする）。
【００４１】
図１（ａ）及び（ｂ）に示す如く、ハイブリッド自動車１には、高圧のワイヤハーネス８、９及び低圧のワイヤハーネス１５が配策される。本発明は、いずれのワイヤハーネスであっても適用可能であるが、代表例として低圧のワイヤハーネス１５を挙げて以下に説明をする。
【００４２】
図１（ｂ）において、車両床下１１を通って配索される長尺なワイヤハーネス１５は、ハーネス本体１９と、このハーネス本体１９の両端末にそれぞれ配設されるコネクタ２０（外部接続手段）とを備えて構成される。また、ワイヤハーネス１５は、所定位置に配索するための固定部材（例えば図９及び図１０に示すクランプＣ等）と、図示しない止水部材（例えばグロメット等）とを備えて構成される。
【００４３】
ハーネス本体１９は、一又は複数本の導電路２１（図２参照）と、この一又は複数本の導電路２１を収容保護するための外装部材２２（図９及び図１０参照）とを備えて構成される。尚、導電路２１の本数に関し、本実施例においては二本であるが、これは一例であるものとする。また、外装部材２２の構成及び構造に関し、高圧のワイヤハーネス９を一緒に収容保護するようなものを採用してもよいものとする。
【００４４】
先ず、ハーネス本体１９における導電路２１の構成及び構造について、図面を参照しながら説明をする。
【００４５】
図２（ａ）において、導電路２１は、この一本が次のように構成される。すなわち、導電路２１は、本実施例の図示した分で見ると、複数に分割された分割導電路２３（２３ａ〜２３ｄ）と、隣り合う分割導電路２３同士を繋ぐ複数の繋ぎ部材２４（２４ａ〜２４ｃ）と、分割導電路２３及び繋ぎ部材２４の直接的な接続部分として形成される導電路接続部２５と、導電路２１の各端末に設けられる端子金具２６とを含んで構成される。導電路２１は、図２（ａ）から分かり難いが長尺なものである。
【００４６】
導電路２１は、本実施例において、四つ以上の分割導電路２３と、この分割導電路２３の数から１をマイナスした数の繋ぎ部材２４とを有する。従って、本実施例の導電路２１は、多くの構成からなり、単なる一本構成の導電路ではないことが分かる。また、導電路２１は、例えばメインとなる第一の導電路と、この第一の導電路の両端に接続される第二の導電路とを有するような三分割構成の導電路でもないことが分かる。さらに、導電路２１は、以下の説明で分かるようになるが、車両床下１１（図１参照）に沿って配索される範囲内において少なくとも一箇所、繋ぎ部材２４が配置されるような導電路、すなわち上記範囲内において単なる一本構成の導電路でもないことが分かる。
【００４７】
分割導電路２３（２３ａ〜２３ｄ）は、導電路２１の大半を占める部分として形成される。このような分割導電路２３は、本体部２７と、本体部２７の両端に位置する接続端２８とを含んで構成される。本体部２７は、導電性の棒状導体２９と、この棒状導体２９を被覆する絶縁性の絶縁体３０とを備えて構成される。接続端２８は、繋ぎ部材２４との接続部分として形成される。接続端２８は、本実施例において、本体部２７の端末の絶縁体３０を除去して棒状導体２９を露出させることにより形成される。
【００４８】
分割導電路２３（本体部２７）は、配索経路に沿った形状の保持に必要となる長さに形成される。すなわち、分割導電路２３ａ〜２３ｄは、各々適宜長さで形成される。本実施例においては、分割導電路２３ｂ、２３ｃが車両床下１１に沿って配索されるような長さに形成される。このような分割導電路２３ｂ、２３ｃは、残りの分割導電路２３ａ、２３ｄよりも比較的長い状態に形成される。
【００４９】
図２（ａ）、（ｂ）において、棒状導体２９は、銅や銅合金、或いはアルミニウムやアルミニウム合金により製造される。本実施例においては、安価且つ軽量であるというメリットを有するアルミニウム製のものが採用される（一例である）。棒状導体２９は、断面円形状の丸棒線として形成される（又は断面矩形状の角棒線として形成される）。棒状導体２９は、真っ直ぐな形状になるように形成される。尚、丸棒線（又は角棒線）は、丸単心線（又は平角単心線）と呼ばれることもある。棒状導体２９は、配索経路に沿った形状の保持が可能な剛性を有するように形成される。棒状導体２９の剛性は、多少の外力が加わったとしも塑性変形が維持されるような剛性であって、そのため繋ぎ部材２４の後述する撚り線導体３３と比較すると、棒状導体２９は硬いものになる。
【００５０】
棒状導体２９は、上記以外にバスバー等を採用してもよいものとする。すなわち、形状の保持が可能な剛性を有すれば特に限定されないものとする。例えば堅い撚り線導体であってもよいものとする。
【００５１】
絶縁体３０は、熱可塑性樹脂材料を用いて棒状導体２９の外周面に押出成形することにより断面円形状の被覆として形成される。又は、公知の熱収縮チューブを用いて棒状導体２９の外周面を覆う被覆として形成される。絶縁体３０は、所定の厚みを有して形成される。尚、上記熱可塑性樹脂としては、公知の様々な種類のものが使用可能であるものとする。例えば、ポリ塩化ビニル樹脂やポリエチレン樹脂、ポリプロピレン樹脂などの高分子材料から適宜選択されるものとする。
【００５２】
図２（ａ）において、繋ぎ部材２４（２４ａ〜２４ｃ）は、本体部３１と、この本体部３１の両端に位置する接続端３２とを含んで構成される。繋ぎ部材２４は、分割導電路２３よりも剛性が低く縮み可能で所定方向に曲げ可能な部材として形成される。繋ぎ部材２４は、導電路２１における特徴的な構成部材の一つである。
【００５３】
本体部３１は、導電性で柔軟性のある撚り線導体３３と、この撚り線導体３３を被覆する絶縁性の被覆部３４とを備えて構成される。繋ぎ部材２４は、以下で説明する機能を発揮させるために必要となる長さに形成される。また、機能を発揮させるために必要な位置に配置される。本実施例の繋ぎ部材２４（本体部３１）は、分割導電路２３よりも短く形成される。また、繋ぎ部材２４は、導電路２１に占める割合が小さくなるような長さに形成される。
【００５４】
接続端３２は、分割導電路２３との接続部分（繋ぎ部分）として形成される。接続端３２は、本実施例において、本体部３１の端末の被覆部３４を除去して撚り線導体３３を露出させることにより形成される。
【００５５】
繋ぎ部材２４は、二方向又は３６０度方向の曲げが可能に形成される。具体的には、例えば上方向と下方向とに曲げが可能、又は、左方向と右方向とに曲げが可能、さらには、３６０度方向に曲げが可能に形成される。尚、以下の説明で分かるようになるが、例えば表面側で後ろ方向への折り曲げと、裏面側で後ろ方向への折り曲げが可能になるように、又は、表面側で斜め前方向への曲げと、裏面側で斜め前方向への曲げが可能になるように形成されてもよいものとする。繋ぎ部材２４は、様々な曲げが可能に形成される。
【００５６】
繋ぎ部材２４（２４ａ〜２４ｃ）は、次のような機能を発揮させる手段として適用される。具体的には、曲げ手段、折り曲げ手段、寸法誤差吸収手段、共振回避手段、振動吸収手段として適用される。
【００５７】
繋ぎ部材２４が曲げ手段として適用される場合には、上記二方向又は３６０度方向の曲げ（曲げ戻しも容易な曲げ）が可能になるという機能が発揮される。また、折り曲げ手段として適用される場合には、ハイブリッド自動車１への配索前の梱包時や輸送時におけるコンパクト化が可能になるという機能が発揮される。また、寸法誤差吸収手段として適用される場合には、配索時における寸法誤差の吸収が可能になるという機能が発揮される。また、共振回避手段として適用される場合には、配索後における共振の回避が可能になるという機能が発揮される。また、振動吸収手段として適用される場合には、配索後における振動の吸収が可能になるという機能が発揮される。
【００５８】
図２（ａ）、（ｃ）において、撚り線導体３３は、銅や銅合金、或いはアルミニウムやアルミニウム合金により製造される。本実施例においては、安価且つ軽量であるというメリットを有するアルミニウム製のものが採用される（一例である）。撚り線導体３３は、複数の素線３５を撚り合わせて断面円形状に形成される。撚り線導体３３は、この断面積が分割導電路２３の棒状導体２９の断面積と合うように素線３５の径や本数等が設定される。撚り線導体３３は、棒状導体２９よりも低い剛性で柔軟性を有するように形成される。
【００５９】
被覆部３４は、熱可塑性樹脂材料を用いて撚り線導体３３の外周面に押出成形することにより断面円形状の被覆（絶縁体）として形成される。被覆部３４は、所定の厚みを有して形成される。尚、上記熱可塑性樹脂としては、公知の様々な種類のものが使用可能であるものとする。例えば、ポリ塩化ビニル樹脂やポリエチレン樹脂、ポリプロピレン樹脂などの高分子材料から適宜選択されるものとする。
【００６０】
図２（ａ）において、導電路接続部２５は、上記の如く、分割導電路２３及び繋ぎ部材２４の直接的な接続部分として形成される。導電路接続部２５は、分割導電路２３の接続端２８に設けられる接続端子３６と、繋ぎ部材２４の接続端３２に設けられる接続端子３７とを、ボルト３８及びナット３９を用いて締め付け固定することにより形成される（図２（ａ）はジョイントタイプの例を示す）。以下、もう少し具体的に構造について説明をする。
【００６１】
図３（ａ）において、分割導電路２３の接続端２８には、導電性の接続端子３６が設けられる。接続端子３６は、加締められて分割導電路２３の接続端２８（棒状導体２９）に接続される。接続端子３６は公知のものであり、電気接触部にはボルト挿通孔４０が形成される。一方、繋ぎ部材２４の接続端３２（撚り線導体３３）にも接続端子３７が設けられる。接続端子３７の電気接触部には、接続端子３６と同様に、ボルト挿通孔４１が形成される。
【００６２】
分割導電路２３及び繋ぎ部材２４の各接続端子３６、３７同士を重ね合わせ、そして、ボルト挿通孔４０、４１にボルト３８を差し込んでナット３９で締め付け固定をすると、これにより電気的な接続が完了する。そしてこの後、接続部分の外側に図示しない絶縁部材（テープ巻きや熱収縮チューブで覆う等）を設けると、導電路接続部２５が形成される。
【００６３】
図３（ｂ）において、他の例となる接合タイプの導電路接続部２５は、図中に示すような接合端子４２を用いて形成される。接合端子４２は、この一端に分割導電路２３の接続端２８（棒状導体２９）が接合される。また、他端には、繋ぎ部材２４の接続端３２（撚り線導体３３）が接合される。尚、図中の接合は超音波接合であるが、他の公知の接合方法を採用してもよいものとする（溶接、溶着、冷間圧接、ポップリベット、半田付け等が挙げられる）。分割導電路２３の接続端２８（棒状導体２９）及び繋ぎ部材２４の接続端３２（撚り線導体３３）が接合端子４２にそれぞれ接合されると、電気的な接続が完了する。この後、接合部分の外側に図示しない絶縁部材（テープ巻きや熱収縮チューブで覆う等）を設けると、導電路接続部２５が形成される。
【００６４】
尚、導電路接続部２５は、分割導電路２３の接続端２８（棒状導体２９）と繋ぎ部材２４の接続端３２（撚り線導体３３）とを接続できればよく、上記の例に限定されないものとする。別な言い方をすれば、繋ぎ部材２４が分割導電路２３同士を繋ぎ、結果、電気的に接続できれば、上記の例に限定されないものとする。
【００６５】
図２に戻り、端子金具２６は、上記の如く、導電路２１の各端末に設けられる。具体的には、分割導電路２３ａ及び２３ｄの各端末に設けられる。端子金具２６は、公知の端子金具であって、コネクタ２０（図１、図９、図１０参照）のコネクタハウジング４３に収容保持される。
【００６６】
次に、上記構成及び構造に基づき、導電路２１によって形成される配索経路の形状について説明をする。尚、配索経路の形状の説明にあたっては、便宜上、外装部材２２の図示を省略するものとする（外装部材２２に関しては後述する）。
【００６７】
図４において、ここでは分割導電路２３ａと、長尺な分割導電路２３ｂと、これらを繋ぐ繋ぎ部材２４ａとが図示される。分割導電路２３ａは、この中間が曲げられて形状が保持される。分割導電路２３ａは、これを構成する棒状導体２９が塑性変形することにより、所定の曲げ形状が保持される。長尺な分割導電路２３ｂは、この一端側が曲げられて形状が保持される。一端側の曲げは、上記同様、棒状導体２９が塑性変形することにより、所定の曲げ形状が保持される。長尺な分割導電路２３ｂの中間は、車両床下１１に沿って配索される。繋ぎ部材２４ａは、例えば配索時において、導電路２１の端末側の取り回しをし易くするための曲げ手段として適用される。また、繋ぎ部材２４ａは、配策後の例えば走行中において、振動を吸収する振動吸収手段として適用される。
【００６８】
図５（ａ）及び（ｂ）において、ここでは長尺な分割導電路２３ｂ及び２３ｃと、これらを繋ぐ繋ぎ部材２４ｂとが図示される。長尺な分割導電路２３ｂ及び２３ｃは、それぞれ車両床下１１に沿って配索される。図５（ａ）において、繋ぎ部材２４ｂは、例えば配索時において、寸法誤差が生じた場合にこれを吸収するための寸法誤差吸収手段として適用される。ここでは、繋ぎ部材２４ｂを縮めるようにすることで寸法誤差が吸収される。図５（ｂ）において、繋ぎ部材２４ｂは、配策後の例えば走行中において、振動を吸収するための振動吸収手段として適用される。また、繋ぎ部材２４ｂは、配索後における共振を回避するための共振回避手段として適用される。
【００６９】
図６において、ここでは分割導電路２３ｄと、長尺な分割導電路２３ｃと、これらを繋ぐ繋ぎ部材２４ｃとが図示される。分割導電路２３ｄと、長尺な分割導電路２３ｃは、真っ直ぐな状態のままである。すなわち、曲げが施されてない状態である。繋ぎ部材２４ｃは、柔軟であることから、配索前の梱包時や輸送時におけるコンパクト化を図るための折り曲げ手段として適用される。ここでは、繋ぎ部材２４ｃが折り返されるような曲げを施すことによってコンパクト化が図られる。尚、繋ぎ部材２４ｃは、ハイブリッド自動車１への配索前に、折り曲げ状態から元の状態（梱包前の状態）に戻されるものとする。
【００７０】
図７において、ここでは長尺な分割導電路２３ｂ及び２３ｃと、これらを繋ぐ繋ぎ部材２４ｂとが図示される。長尺な分割導電路２３ｂ及び２３ｃは、それぞれ車両床下１１に沿って平面的に配索される。繋ぎ部材２４ｂは、例えば配索時において、導電路２１の経路を変更するための曲げ手段として適用される。尚、図中の繋ぎ部材２４ｂはクランク状に曲げが施されるが、この曲げ形状や曲げ方向は一例であるものとする。
【００７１】
続いて、図８を参照しながら、導電路２１の変形例について説明をする。
【００７２】
図８において、変形例となる導電路２１は、この各端末に第二の分割導電路４４を付加したものである（別な言い方をすれば、図２の導電路２１の各端末に第二の分割導電路４４を付加した構成及び構造のものである。尚、第二の分割導電路４４を付加したことから、この第二の分割導電路４４に端子金具２６が設けられる）。第二の分割導電路４４は、導電性を有し柔軟性のある撚り線導体４５と、この撚り線導体４５を被覆する絶縁体４６とを備えて構成される。第二の分割導電路４４は、分割導電路２３の棒状導体２９が柔軟性のある撚り線導体４５に変更されたものと基本的に同じである。第二の分割導電路４４は、導電路２１の端末側の取り回しをし易くするために付加されたものである。
【００７３】
続いて、図９及び図１０を参照しながら、外装部材２２について説明をする。
【００７４】
図９及び図１０において、外装部材２２は、導電路２１を収容保護するための樹脂成形品である。外装部材２２は、本実施例において、公知のコルゲートチューブが採用される。コルゲートチューブである外装部材２２は、管軸に直交する方向の断面形状が丸形に形成される（一例であり、例えば長円形状や楕円形状等の平形であってもよいものとする）。外装部材２２は、この全体が可撓性を有する。外装部材２２はコルゲートチューブであることから、蛇腹管形状に形成される。具体的には、周方向の蛇腹凹部４７及び蛇腹凸部４８を有するとともに、これら蛇腹凹部４７及び蛇腹凸部４８が管軸方向に交互に連続するように形成される。
【００７５】
このような外装部材２２の所定位置には、クランプＣが組み付けられる。クランプＣは、外装部材２２の形状（蛇腹管形状）に合わせて形成される管体取付部４９と、この管体取付部４９に連続する片持ち形状の固定部５０とを有する。固定部５０には、ボルト挿通孔５１が形成される。
【００７６】
尚、本実施例では、外装部材２２としてコルゲートチューブが採用されるが、これに限らないものとする。例えば、上記コルゲートチューブと樹脂製のプロテクタＰ（図２及び図８参照）との組み合わせで採用したり、プロテクタＰを単独で採用したりしてもよいものとする。柔軟性を持たせたい部分をコルゲートチューブで確保しつつ、逆に経路規制をしたい部分はプロテクタＰ組み付けで対応すればよい。また、例えば曲げ等を行った後に、この曲げ形状を保持するためにプロテクタＰを組み付けて対応してもよい。プロテクタＰの組み付け位置は、例えば繋ぎ部材２４と、この近傍部分とを覆うような位置が一例として挙げられる（分割導電路２３の方に組み付けてもよいものとする）。プロテクタＰは、経路規制に限らず、飛び石や縁石等への乗り上げに対する補強部分としても有効である。コルゲートチューブやプロテクタＰ以外としては、所望の範囲を巻き付けて覆うシート部材等も有効である。
【００７７】
続いて、ワイヤハーネス１５の製造、輸送、及び経路配索について説明をする。
【００７８】
図９において、ワイヤハーネス１５は、先ず、全体が略直線状に樹脂成形された外装部材２２に導電路２１を挿通してハーネス本体１９を製造する。次に、導電路２１の両端末にコネクタ２０を設け、最後に、外装部材２２の所定位置にクランプＣやその他の後付部品を組み付けると製造が完了する。
【００７９】
ワイヤハーネス１５の製造後は、図９に示す如く所定の位置で（例えば、繋ぎ部材２４ａ、２４ｃに対応する位置で）折り畳むように曲げると、ワイヤハーネス１５は端末側の部分と中間部分とが略平行な状態に対向配置される。このような配置状態にすることにより、ワイヤハーネス１５の全長が短くなるとともに、ワイヤハーネス１５は最小限の幅で梱包される。すなわち、ワイヤハーネス１５の全体はコンパクトな状態で梱包される。そして、このコンパクトな状態のままでワイヤハーネス１５は輸送される。
【００８０】
輸送後、梱包状態が解かれると、ワイヤハーネス１５は製造後と同じ状態になる。そしてこの後、ワイヤハーネス１５は、ボルト挿通孔５１に挿通されたボルト５２を介して車両床下１１等の固定対象５３に取り付け固定される（固定対象５３の形状は一例である）。ワイヤハーネス１５は、固定対象５３に対して取り付け固定されると、図１０に示す如く所定の経路配索が完了する。経路配索にあたっては、導電路２１の構成及び構造が有効に機能するのは勿論である。
【００８１】
以上、図１ないし図１０を参照しながら説明してきたように、ワイヤハーネス１５は、複数本の導電路２１を含んで構成される。導電路２１に関しては、この一本が複数に分割された分割導電路２３と、隣り合う分割導電路２３同士を繋ぐ導電性の繋ぎ部材２４とを含んで構成される。そして、繋ぎ部材２４は、本体部３１と、この本体部３１の両端に位置する接続端３２とを含んで構成される。また、繋ぎ部材２４は、分割導電路２３よりも剛性が低く縮み可能で所定方向に曲げ可能な部材として形成される。従って、このような繋ぎ部材２４の配置を調整すれば、この繋ぎ部材２４を作業性等の向上に寄与する部分として使用することができる。つまり、このような導電路２１を複数本含んでなるワイヤハーネス１５であれば、作業性等の向上を図ることができるという効果を奏する。
【００８２】
また、ワイヤハーネス１５によれば、繋ぎ部材２４が分割導電路２３よりも短く形成されることから、一本の導電路２１に占める繋ぎ部材２４の割合が小さく、結果、配索経路の形状維持に係る機能を損なうことはない。従って、より良いワイヤハーネス１５を提供することができるという効果を奏する。
【００８３】
また、ワイヤハーネス１５によれば、繋ぎ部材２４が二方向又は３６０度方向に曲げ可能な部材として形成されることから、このような曲げによって作業性等の向上を図ることができるという効果を奏する。
【００８４】
また、ワイヤハーネス１５によれば、このワイヤハーネス１５が車両床下１１に沿う範囲内において、繋ぎ部材２４が少なくとも一箇所配置されることから、配索が長尺になるような範囲であっても、以下に挙げる各種手段としての適用箇所にすることができる。従って、より良いワイヤハーネス１５を提供することができるという効果を奏する。
【００８５】
また、ワイヤハーネス１５によれば、繋ぎ部材２４が曲げ手段、折り曲げ手段、寸法誤差吸収手段、共振回避手段、振動吸収手段どとして適用されることから、ワイヤハーネス１５の梱包時及び輸送時のコンパクト化を図ることや、配索時における曲げや、寸法誤差の吸収を容易にすること、さらには、配索後の共振による不具合等の回避や、振動吸収をすることなどができるという効果を奏する。
【００８６】
本発明は本発明の主旨を変えない範囲で種々変更実施可能なことは勿論である。
【符号の説明】
【００８７】
１…ハイブリッド自動車（自動車）、  ２…エンジン、  ３…モータユニット、  ４…インバータユニット、  ５…バッテリー、  ６…エンジンルーム、  ７…自動車後部、  ８、９…ワイヤハーネス、  １０…中間部、  １１…車両床下（車体）、  １２…ジャンクションブロック、  １３…ハーネス端末、  １４…シールドコネクタ、  １５…ワイヤハーネス、  １６…低圧バッテリー、  １７…自動車前部、  １８…補器、  １９…ハーネス本体、  ２０…コネクタ、  ２１…導電路、  ２２…外装部材、  ２３…分割導電路、  ２４…繋ぎ部材、  ２５…導電路接続部、  ２６…端子金具、  ２７…本体部、  ２８…接続端、  ２９…棒状導体、  ３０…絶縁体、  ３１…本体部、  ３２…接続端、  ３３…撚り線導体、  ３４…被覆部、  ３５…素線、  ３６…接続端子、  ３７…接続端子、  ３８…ボルト、  ３９…ナット、  ４０、４１…ボルト挿通孔、  ４２…接合端子、  ４３…コネクタハウジング、  ４４…第二の分割導電路、  ４５…撚り線導体、  ４６…絶縁体、  ４７…蛇腹凹部、  ４８…蛇腹凸部、  ４９…管体取付部、  ５０…固定部、  ５１…ボルト挿通孔、  ５２…ボルト、  ５３…固定対象、  Ｃ…クランプ、  Ｐ…プロテクタ（外装部材）
【図１】
2016103310.tif 000003
【図２】
2016103310.tif 000004
【図３】
2016103310.tif 000005
【図４】
2016103310.tif 000006
【図５】
2016103310.tif 000007
【図６】
2016103310.tif 000008
【図７】
2016103310.tif 000009
【図８】
2016103310.tif 000010
【図９】
2016103310.tif 000011
【図１０】
2016103310.tif 000012